(57)【特許請求の範囲】
【請求項１】
前側に表示窓を設けた本体ケースと、上記本体ケースの後側に設置されたベースと、このベースの背面側に複数の端子金具が突出され、かつ、２列に分離して配列された端子部と、この端子部を覆うと共に上記２列の端子部の中間位置に対向する側壁に電線挿入口が形成された端子カバーとを備えるものにおいて、上記端子カバーの電線挿入口の近傍において上記ベースの背面側に、上記２列の端子部の配列と平行に、かつ、上記端子金具の突出高さよりも高い高さの盗電防止用隔壁を設けたことを特徴とする配電盤取付用電力量計。
【請求項２】
各端子金具にはその配列方向に交叉して両側に絶縁用隔壁を設けると共に、上記絶縁用隔壁と盗電防止用隔壁及びベースを合成樹脂材料で一体に形成したことを特徴とする請求項１記載の配電盤取付用電力量計。
【請求項３】
端子部に設けられた絶縁用隔壁は、端子カバーの電線挿入口から端子金具を直接見ることができない長さに形成されていることを特徴とする請求項２記載の配電盤取付用電力量計。
【発明の詳細な説明】
【０００１】
【発明の属する技術分野】
この発明は、電気料金の取引に使用する配電盤取付用電力量計における端子部および端子カバーに関するものである。
【０００２】
【従来の技術】
図７は、従来の配電盤取付用電力量計の後側に設置されたベースと端子部を示す斜視図である。図８は、図７の端子部を覆う端子カバーを示す斜視図である。図において、１は鋼板を箱形に形成したベースであり、配電盤取付用電力量計の後側に設置されるものである。２はベース１のほぼ中央部に溶接等により固着された端子カバー取付金具であり、雌ねじ２ａが設けてある。３は端子部であり、熱硬化性合成樹脂材料で形成された端子台３ａに端子金具３ｂが一体に組込まれている。また、端子部３は端子締付ねじ４によりベース１の突出部１ａに計器内部から締付けられている。なお、図７に示す端子部３は単相３線式電力量計のものであり、端子金具３ｂに外部電線（電源側及び負荷側の配電線）が接続される。図８において、５は鋼板を箱形に形成した端子カバーであり、図７に示す端子部３を覆い、取付けねじを兼ねた封印ねじ６により盗電防止のための封印を施すものである。５ａは外部電線挿入口である。
【０００３】
【発明が解決しようとする課題】
上記のように、電気料金の取引用として使用される場合の配電盤取付用電力量計は、通常ベース１の外部電線接続部分に封印用の端子カバー５が設けられている。即ち、端子金具３ｂに外部電線を接続後に端子カバー５を取付け、この端子カバー５は盗電防止のために取外し出来ないように封印を施す仕様になっている。しかし、端子カバー５には電線挿入口５ａを設けているために、この電線挿入口５ａの位置あるいは大きさなどによっては、この電線挿入口５ａから導電物を挿入して、端子金具３ｂに接触させることにより、電気を盗用することが可能になる場合がある。
【０００４】
このため、電線挿入口５ａをできるだけ小さくして導電物が端子金具３ｂに接触できない構造とするのが一般的である。しかし、電線挿入口５ａを小さくした場合は、外部電線の配線作業が困難になり電気工事業者より苦情が出る。従って、現在実施されている端子カバー５の電線挿入口５ａは、盗電防止目的よりも外部電線の配線容易性を主体とした構造になっている。即ち、電線挿入口５ａの位置あるいは大きさなどによっては、端子カバー５の本来の目的である盗電防止の構造を満足できない場合がある。
【０００５】
また、鋼板で形成されたベース１に、端子カバー取付金具２が固着され、端子台３ａに端子金具３ｂが一体に組込まれた端子部３が、計器内部から端子締付ねじ４により締付けられている。このため、部品点数が多くなると共に、組立作業に時間がかかるなどの問題点があった。
【０００６】
さらに、複数の端子金具３ｂ間に絶縁用の隔壁が無いために、端子金具３ｂに外部電線を接続時に、ねじ締付用のドライバー等の導電物が隣接の端子金具３ｂへ接触する恐れがあるという問題点があった。
【０００７】
この発明は上記のような課題を解決するためになされたもので、第一の目的は、端子カバーの電線挿入口からの盗電ができないようにすると共に、端子部に対する外部電線の接続に際しねじ締付用のドライバーが隣接の端子金具に接触するなどの問題点が解消された配電盤取付用電力量計を得るものである。
【０００８】
また、第二の目的は、端子カバーの電線挿入口からの盗電ができないようにすると共に、部品点数を削減してベース及び端子部の組立作業時間を短くした配電盤取付用電力量計を得るものである。
【０００９】
【課題を解決するための手段】
この発明のに係る配電盤取付用電力量計においては、前側に表示窓を設けた本体ケースと、本体ケースの後側に設置されたベースと、このベースの背面側に複数の端子金具が突出し、かつ、２列に分離して配列された端子部と、この端子部を覆うと共に２列の端子部の中間位置に対向する側壁に電線挿入口が形成された端子カバーとを備えるものにおいて、端子カバーの電線挿入口の近傍においてベースの背面側に、２列の端子部の配列と平行に、かつ、端子部の突出高さよりも高い高さの盗電防止用隔壁を設け、この盗電防止用隔壁により、電線挿入口から導電物を挿入しても端子金具に対する接触が困難になされたものである。
【００１０】
また、配列された各端子金具にはその配列方向に交叉して両側に絶縁用隔壁を設けると共に、絶縁用隔壁と盗電防止用隔壁及びベースを合成樹脂材料で一体に形成することにより、端子部に対する外部電線の接続に際して、ねじ締付用のドライバーが隣接の端子金具に接触するなどの問題点を解消すると共に、部品点数を削減してベース及び端子部の組立作業時間を短くしたものである。
【００１１】
さらに、端子部に設けられた絶縁用隔壁を、端子カバーの電線挿入口から端子金具を直接見ることができない長さに形成することにより、電線挿入口から導電物を挿入しても端子金具に対する接触が極めて困難にしたものである。
【００１２】
【発明の実施の形態】
実施の形態１．
図１ないし図５は、この発明の実施の形態である配電盤取付用電力量計を示すもので、図１は配電盤取付用電力量計の前面側を示す斜視図、図２は配電盤取付用電力量計の背面側を示す分解斜視図、図３はベースの背面側を示す斜視図、図４は端子カバーを示す斜視図、図５は発明の要部を説明するための説明図である。
【００１３】
図において、１０１は電力量計本体である。１１は本体ケース、１２は本体ケース１１の前側に設けられて計量値を読取るようになされた本体カバーであり、いずれも合成樹脂材料、例えばＡＢＳ樹脂材料で形成されている。１３は本体ケース１１の後側に設けられたベースであり、合成樹脂材料、例えばＡＢＳ樹脂とＰＢＴ樹脂（ポリブチレンテレフタレート樹脂）とのポリマーアロイ材料で形成され、図３に示すようにほぼ中央部に突出した端子カバー取付部１４と、２列に分離して配列された端子部１５を有している。１６は端子金具であり、端子部１５に穿設された貫通孔（図示せず）に圧入等により固着され、電力量計の内部素子（図示せず）に接続されている。なお、端子金具１６は外部電線２０が接続できるように、ベース１３の背面側に所定の高さに突出するように形成されている。２列に配列された端子部１５には、その端子金具１６の配列方向に交叉して図示のように第１の絶縁用隔壁１５ａ及び第２の絶縁用隔壁１５ｂが一体に設けられている。１７は盗電防止用隔壁であり、後述の端子カバー１８に形成され電線挿入口１８ｂの近傍において、ベース１３の背面側に、上記２列の端子部１５の配列と平行に、かつ、上記端子金具１６の突出高さよりも高い高さに形成されている。
【００１４】
図４において、１８は例えばＡＢＳ樹脂のような合成樹脂材料で形成された端子カバーであり、２列に配設された端子部１５を覆うようにベース１３の背面側に取付けられる。１９は取付け用を兼ねた封印ねじであり、端子カバー１８の上面１８ｃに設けてある。１８ｄは封印線を通すための封印孔である。１８ａは電線挿入口であり、一方の側壁１８ｂに形成されている。この電線挿入口１８ａは端子カバー１８をベース１３の背面側に取付けたとき、２列の端子部１５の中間位置に対向するように形成されている。なお、図２及び図３に示す端子部１５は、三相３線式の配電盤取付用電力量計における端子の配列になっている。２０は外部電線（電源側及び負荷側の配電線）である。
【００１５】
次に、端子部１５に形成されている第１の絶縁用隔壁１５ａと第２の絶縁用隔壁１５ｂ及び盗電防止用隔壁１７の関係など、発明の要部について説明する。説明のために、図５（ａ）において、第１の絶縁用隔壁１５ａ及び第２の絶縁用隔壁１５ｂの長さ寸法をＡとし、盗電防止用隔壁１７の長さ寸法をＢとし、端子カバー１８（二点鎖線で示す）に形成された電線挿入口１８ａの間口寸法をＣとする。また、図５（ｂ）において、Ｄは第１の絶縁用隔壁１５ａと第２の絶縁用隔壁１５ｂと盗電防止用隔壁１７の高さ寸法である。なお、図５における端子部１５は、三相４線式の配電盤取付用電力量計における端子の配列の一例を示している。
【００１６】
この発明による配電盤取付用電力量計においては、図２に示すように、外部電線２０を、第１の絶縁用隔壁１５ａ及び第２の絶縁用隔壁１５ｂと盗電防止用隔壁１７との間を通して、その先端部の芯線をそれぞれの端子金具１６に端子ねじ２１により接続している。そして、端子カバー１８で覆い、端子カバー１８は封印ねじ１９で締付けされる。なお、外部電線２０は電線挿入口１８ａを通るように配線されている。
【００１７】
この場合、外部電線２０の配線を容易にするために、第１の絶縁用隔壁１５ａ及び第２の絶縁用隔壁１５ｂの長さ寸法Ａはできる限り短くして、盗電防止用隔壁１７との間を広くすることが望まれる。この関係において、第１の絶縁用隔壁１５ａ及び第２の絶縁用隔壁１５ｂの長さ寸法Ａと盗電防止用隔壁１７の長さ寸法の関係は、寸法Ａを短くしても、盗電防止用隔壁１７の長さ寸法Ｂを長くすれば、電線挿入口１８ａから導電物２２を挿入しても端子金具１６に対する接触が困難になる。即ち、図５（ａ）において二点鎖線で示すように、電線挿入口１８ａから導電物２２（例えば銅線など）を斜め方向から挿入しても端子金具１６には接触できないので盗電が防止される。そして、第１の絶縁用隔壁１５ａ及び第２の絶縁用隔壁１５ｂの長さ寸法Ａが短くなっていることから外部電線２０の配線も容易になる。
【００１８】
なお、この場合、図５（ｂ）に示す各隔壁１５ａ，１５ｂ，１７の高さ寸法Ｄは、端子金具１６の突出寸法よりも高い寸法に設定しておくものとする。この高さ寸法Ｄは、外部電線２０を端子金具１６に接続時に、締付け用のドライバー等が隣接の端子金具１６へ接触するおそれがあることを考慮すると、端子ねじ２１を最大に緩めた寸法よりも高くする必要がある。
【００１９】
上記の実施の形態では、ベース１３を合成樹脂材料により形成したものを示したが、ベース１３を従来の技術で示したもののように鋼板を箱形に形成したものであっても同様の構成が得られる。この場合、盗電防止用隔壁１７は合成樹脂材料で形成したものを、鋼板製のベース１３に立設してもよいが、鋼板で形成したものを立設しても盗電防止用隔壁１７としての作用効果が得られる。
【００２０】
実施の形態２．
実施の形態１においては、第１の絶縁用隔壁１５ａ及び第２の絶縁用隔壁１５ｂの長さ寸法Ａはできる限り短くしたものを示したが、計器の大きさを大きくしたもの、あるいは、単相３線式計器のように、外部電線２０の本数が少ない計器においては、第１の絶縁用隔壁１５ａ及び第２の絶縁用隔壁１５ｂの長さ寸法Ａを長くしても外部電線２０の配線に支障を生じないし盗電防止の構成も得られる。即ち、図６に示す実施の形態２は、実施の形態１とは逆に、第１の絶縁用隔壁３５ａ及び第２の絶縁用隔壁３５ｂの長さ寸法Ｅが盗電防止用隔壁３７の長さ寸法Ｆよりも長くなったものである。このような構成の場合、二点鎖線で示すように、電線挿入口１８ａから導電物２２（例えば銅線など）を斜め方向から挿入しても端子金具１６には接触できないので盗電が防止される。
【００２１】
この実施の形態２による配電盤取付用電力量計は、第１の絶縁用隔壁３５ａ及び第２の絶縁用隔壁３５ｂの長さ寸法Ｅと盗電防止用隔壁３７の長さ寸法Ｆの関係により、端子カバー１８の電線挿入口１８ａから端子金具１６を直接見ることができないようにして盗電防止を図ったものである。すなわち寸法Ｆと寸法Ｅが、Ｅ＞Ｆであっても盗電防止が可能となる。
また、絶縁用隔壁３５ａ，３５ｂと盗電防止用隔壁３７及びベース３１などを合成樹脂材料で一体に形成することにより、部品点数を削減し、ベース及び端子部の組立作業時間が短くなるようにしたものである。
なお、絶縁用隔壁３５ａ，３５ｂの長さ寸法Ｅを長くしても、盗電防止用隔壁３７の長さ寸法Ｆを短くできるので、外部電線２０の配線に対する影響は少ない。
【００２２】
【発明の効果】
この発明は、以上説明したように構成されているので、以下に示すような効果を奏する。
【００２３】
端子カバーの電線挿入口の近傍において、ベースの背面側に、２列の端子部の配列と平行に、かつ、端子金具の突出高さよりも高い高さの盗電防止用隔壁を設けたので、導電物の挿入による盗電が防止される。
【００２４】
また、絶縁用隔壁と盗電防止用隔壁及びベースなどを合成樹脂材料で一体に形成したので、部品点数が削減され、ベースあるいは端子部などの組立作業が簡単になる。
【図面の簡単な説明】
【図１】この発明の実施の形態１を示す配電盤取付用電力量計の斜視図である。
【図２】この発明の実施の形態１を示す配電盤取付用電力量計の分解斜視図である。
【図３】この発明の実施の形態１を示すベースの斜視図である。
【図４】この発明の実施の形態１を示す端子カバーの斜視図である。
【図５】この発明の実施の形態１を示す要部の説明図である。
【図６】この発明の実施の形態２を示すベースの平面図である。
【図７】従来の配電盤取付用電力量計のベースを示す斜視図である。
【図８】従来の配電盤取付用電力量計の端子カバーを示す斜視図である。
【符号の説明】
１１  本体ケース、１２  本体カバー、１３  ベース、１５  端子部、
１５ａ  第１の絶縁用隔壁、１５ｂ  第２の絶縁用隔壁、１６  端子金具、
１７  盗電防止用隔壁、１８  端子カバー、１８ａ  電線挿入口。
【図１】
0003569620.tif 000002
【図２】
0003569620.tif 000003
【図３】
0003569620.tif 000004
【図４】
0003569620.tif 000005
【図５】
0003569620.tif 000006
【図６】
0003569620.tif 000007
【図７】
0003569620.tif 000008
【図８】
0003569620.tif 000009